(57)【要約】【課題】同じコンテンツが複数記録されることによって記録媒体の容量が圧迫されるのを防止することができるようにする。【解決手段】ｎ回のコピーが可能であることを表す属性が付加されているコンテンツが受信されたとき、PVR１のハードディスク１３には１個のコンテンツが記録される。コンテンツをNAS２に伝送することが指示されたとき、残りのコピー可能回数が０回になるまで、同じコンテンツの伝送が繰り返される。NAS２においては、繰り返し伝送されてきたコンテンツがそれぞれハードディスク２３に記録され、その後、ハードディスク２３に同じコンテンツが複数記録されていると判断された場合、そのコンテンツのコピー可能回数が、コンテンツの数と同じ回数として管理されるとともに、重複しているデータが消去される。本発明は、チューナを内蔵していない記録装置であるNASに適用することができる。【選択図】図４
2008310869.tif 000002
【特許請求の範囲】
【請求項１】
所定の回数だけコピー可能であることを表す属性が設定されているコンテンツの伝送を、同じコンテンツを前記所定の回数と同じ回数だけ繰り返し伝送することによって行う他の記録装置とネットワークを介して接続される記録装置において、
前記他の記録装置から伝送されてくる毎にコンテンツを受信する受信手段と、
前記受信手段により受信されたコンテンツを記録手段に記録させる記録制御手段と、
前記記録手段に記録されたそれぞれのコンテンツに含まれるメタデータに基づいて、同じコンテンツが前記記録手段に複数記録されていると判断した場合、前記記録手段に記録されている同じコンテンツの数を、そのコンテンツのコピー可能回数として管理する管理手段と
を備え、
前記記録制御手段は、さらに、同じコンテンツが前記記録手段に複数記録されていると前記管理手段により判断された場合、前記記録手段に複数記録されているコンテンツのうち、１つを除いて前記記録手段から消去する
記録装置。
【請求項２】
前記管理手段は、さらに、同じコンテンツである可能性があるものとして選択した候補のコンテンツが、前記他の記録装置から連続して伝送され、前記記録手段に記録されたものである場合に、選択した候補のコンテンツが同じコンテンツであると判断する
請求項１に記載の記録装置。
【請求項３】
前記管理手段は、さらに、メタデータの伝送時に前記他の記録装置から伝送されてきた情報に基づいて、コンテンツが同一であるか否かを判断する
請求項１に記載の記録装置。
【請求項４】
所定の回数だけコピー可能であることを表す属性が設定されているコンテンツの伝送を、同じコンテンツを前記所定の回数と同じ回数だけ繰り返し伝送することによって行う他の記録装置とネットワークを介して接続される記録装置の記録方法において、
前記他の記録装置から伝送されてくる毎にコンテンツを受信し、
受信したコンテンツを記録手段に記録させ、
前記記録手段に記録させたそれぞれのコンテンツに含まれるメタデータに基づいて、同じコンテンツが前記記録手段に複数記録されていると判断した場合、前記記録手段に記録されている同じコンテンツの数を、そのコンテンツのコピー可能回数として管理し、
前記記録手段に複数記録されているコンテンツのうち、１つを除いて前記記録手段から消去する
ステップを含む記録方法。
【請求項５】
所定の回数だけコピー可能であることを表す属性が設定されているコンテンツの伝送を、同じコンテンツを前記所定の回数と同じ回数だけ繰り返し伝送することによって行う他の記録装置とネットワークを介して接続される記録装置の記録処理をコンピュータに実行させるプログラムにおいて、
前記他の記録装置から伝送されてくる毎にコンテンツを受信し、
受信したコンテンツを記録手段に記録させ、
前記記録手段に記録させたそれぞれのコンテンツに含まれるメタデータに基づいて、同じコンテンツが前記記録手段に複数記録されていると判断した場合、前記記録手段に記録されている同じコンテンツの数を、そのコンテンツのコピー可能回数として管理し、
前記記録手段に複数記録されているコンテンツのうち、１つを除いて前記記録手段から消去する
ステップを含むプログラム。
【請求項６】
所定の回数だけコピー可能であることを表す属性が設定されているコンテンツの伝送を、同じコンテンツを構成するメタデータとAVストリームをそれぞれ、その順番で前記所定の回数と同じ回数だけ繰り返し伝送することによって行う他の記録装置とネットワークを介して接続される記録装置において、
メタデータとAVストリームを前記他の記録装置から伝送されてくる毎に受信する受信手段と、
前記受信手段により受信されたメタデータとAVストリームを記録手段に記録させる記録制御手段と、
前記受信手段により受信されたメタデータに基づいて、前記記録手段に記録されているものと同じAVストリームの伝送が開始されると判断した場合、伝送が開始されるAVストリームの記録が完了したことを表す情報を前記他の記録装置に送信してその伝送を終了させ、前記他の記録装置から既に伝送され、前記記録手段に記録されたAVストリームの数と、前記他の記録装置に伝送を終了させたAVストリームの数とを合わせた数を、そのAVストリームを含むコンテンツのコピー可能回数として管理する管理手段と
を備える記録装置。
【請求項７】
所定の回数だけコピー可能であることを表す属性が設定されているコンテンツの伝送を、同じコンテンツを構成するメタデータとAVストリームをそれぞれ、その順番で前記所定の回数と同じ回数だけ繰り返し伝送することによって行う他の記録装置とネットワークを介して接続される記録装置の記録方法において、
メタデータとAVストリームを前記他の記録装置から伝送されてくる毎に受信し、
受信したメタデータとAVストリームを記録手段に記録させ、
受信したメタデータに基づいて、前記記録手段に記録されているものと同じAVストリームの伝送が開始されると判断した場合、伝送が開始されるAVストリームの記録が完了したことを表す情報を前記他の記録装置に送信してその伝送を終了させ、前記他の記録装置から既に伝送され、前記記録手段に記録されたAVストリームの数と、前記他の記録装置に伝送を終了させたAVストリームの数とを合わせた数を、そのAVストリームを含むコンテンツのコピー可能回数として管理する
ステップを含む記録方法。
【請求項８】
所定の回数だけコピー可能であることを表す属性が設定されているコンテンツの伝送を、同じコンテンツを構成するメタデータとAVストリームをそれぞれ、その順番で前記所定の回数と同じ回数だけ繰り返し伝送することによって行う他の記録装置とネットワークを介して接続される記録装置の記録処理をコンピュータに実行させるプログラムにおいて、
メタデータとAVストリームを前記他の記録装置から伝送されてくる毎に受信し、
受信したメタデータとAVストリームを記録手段に記録させ、
受信したメタデータに基づいて、前記記録手段に記録されているものと同じAVストリームの伝送が開始されると判断した場合、伝送が開始されるAVストリームの記録が完了したことを表す情報を前記他の記録装置に送信してその伝送を終了させ、前記他の記録装置から既に伝送され、前記記録手段に記録されたAVストリームの数と、前記他の記録装置に伝送を終了させたAVストリームの数とを合わせた数を、そのAVストリームを含むコンテンツのコピー可能回数として管理する
ステップを含むプログラム。
【発明の詳細な説明】
【技術分野】
【０００１】
本発明は、記録装置、記録方法、およびプログラムに関し、特に、同じコンテンツが複数記録されることによって記録媒体の容量が圧迫されるのを防止することができるようにした記録装置、記録方法、およびプログラムに関する。
【背景技術】
【０００２】
デジタル放送コンテンツに設定されているコピー制限の見直しがARIB(Association of Radio Industries and Businesses)において議論されている。
【０００３】
例えば、現在はほとんどのコンテンツがコピーワンスコンテンツ（１世代のみコピー可のコンテンツ）として放送されているが、このコピーワンスコンテンツというコンテンツの種別はそのままに、コピー可能な回数をそれぞれのコピーワンスコンテンツに設定し、設定した回数の範囲内でコピーを許可するといった提案もされている。
【０００４】
この場合、PVR(Personal Video Recorder)などの記録装置においては、コンテンツ（コピーワンスコンテンツ）自体は１個分だけ記録媒体に記録され、その記録されたコンテンツと対応付けて、ｎ回のコピーが可能であることを表す属性が保持されることになる。これにより、コピー可能な回数と同じ数だけ同じコンテンツをそれぞれ記録媒体に記録しておく場合に較べて、記録媒体の空き容量を確保することができるようになされている。
【０００５】
ところで、近年、家庭内にNAS(Network Attached Storage)を設置し、PVRにおいて取り込んだコンテンツや、パーソナルコンピュータにおいて取り込んだコンテンツなどをネットワークを介してNASに全て伝送し、コンテンツを集中的に管理するようなことが一般的に行われつつある。
【０００６】
これにより、ユーザは、家庭内のネットワークに接続されるどの機器からでも、NASに記録されているコンテンツを利用することができる。
【０００７】
コピー回数を管理する技術については、例えば特許文献１に開示されている。
【特許文献１】特開２００１−２５０３２４号公報
【発明の開示】
【発明が解決しようとする課題】
【０００８】
ｎ回のコピーが可能であることを表す属性が設定されたコンテンツをネットワークを介してPVRからNASに伝送する場合、デジタルコンテンツの伝送はDTCP(Digital Transmission Content Protection)の規格に従って行われることになるが、このDTCPの規格においてはｎ回のコピーが可能であることを表す属性自体を伝送することができず、ｎ回のコピーが可能というユーザのメリットを維持しつつコンテンツを伝送するには、コピーが許可された回数であるｎ回だけ同じコンテンツを繰り返し伝送し、ｎ個のコンテンツとして伝送する必要がある。
【０００９】
ここで、図１のフローチャートを参照して、チューナ内蔵機器であるPVRの処理について説明する。
【００１０】
記録対象のコンテンツの放送が開始されたとき、PVRは、ステップＳ１において、記録対象のコンテンツを受信し、ステップＳ２において、受信したコンテンツを内蔵の記録媒体に記録させる。コンテンツには、コピー可能な回数を表す属性が付加されている。記録媒体に記録されるコンテンツはメタデータとAVストリームから構成され、メタデータには、コンテンツのタイトル、コンテンツの記録日時、AVストリームのサイズ（データ量）などの情報が含まれる。
【００１１】
コピー可能な回数を表す属性はコンテンツと対応付けて管理される。ここでは、２回だけコピーが可能として属性が設定されている場合について説明する。
【００１２】
ステップＳ３において、PVRは、コンテンツをNASに伝送することがユーザにより指示されたか否かを判定し、指示されたと判定するまで待機する。
【００１３】
NASに伝送することが指示されたとステップＳ３において判定した場合、PVRは、ステップＳ４において、伝送が指示されたコンテンツのメタデータをNASに伝送する。
【００１４】
ステップＳ５において、PVRは、AVストリームをNASに伝送する。これにより、２回のコピーが可能とされているコンテンツに基づいて、１回目のコンテンツの伝送が行われたことになり、PVRにおいては、残りのコピー可能回数が１回として管理される。
【００１５】
ステップＳ６において、PVRは、メタデータをNASに伝送する。
【００１６】
ステップＳ７において、PVRは、AVストリームをNASに伝送する。これにより、２回のコピーが可能とされているコンテンツに基づいて、２回目のコンテンツの伝送が行われたことになり、PVRにおいては、残りのコピー可能回数が０回として管理される。
【００１７】
ステップＳ８において、PVRは、記録媒体に記録させておいたコンテンツを消去し、伝送処理を終了させる。コピー可能回数が０回になったときにコンテンツが消去されることにより、NASに伝送したコンテンツの容量の分だけ、PVRの記録媒体の空き容量が確保される。
【００１８】
図２のフローチャートを参照して、チューナ非内蔵機器であるNASにより、図１のPVRの処理に対応して行われる処理について説明する。
【００１９】
ステップＳ１１において、NASは、PVRから伝送されてきたメタデータを受信し、記録する。
【００２０】
ステップＳ１２において、NASは、PVRから伝送されてきたAVストリームを受信し、ステップＳ１１において受信したメタデータと合わせて記録する。これにより、１回目の伝送によって伝送された１個目のコンテンツがNASにコピーされた状態になる。
【００２１】
ステップＳ１３において、NASは、PVRから伝送されてきたメタデータを受信し、記録する。
【００２２】
ステップＳ１４において、NASは、PVRから伝送されてきたAVストリームを受信し、ステップＳ１３において受信したメタデータと合わせて記録する。これにより、２回目の伝送によって伝送された２個目のコンテンツがNASにコピーされ、同じコンテンツが２個記録された状態になる。
【００２３】
PVRとNASの間で行われるやりとりについて図３のフローチャートを参照して説明する。
【００２４】
コンテンツの伝送を開始することが指示されたとき、ステップＳ２１において、PVRは、コンテンツの伝送先をNAS内のハードディスクとすることをNASに指定する。
【００２５】
ステップＳ３１において、NASは、PVRからの指定を受信し、伝送を受ける準備が完了したとき、ステップＳ３２において、そのことをPVRに通知する。
【００２６】
ステップＳ２２において、PVRは、NASからの通知を受信し、ステップＳ２３において、メタデータの伝送を開始する。
【００２７】
ステップＳ３３において、NASは、PVRから伝送されてきたメタデータを受信し、記録する。
【００２８】
ステップＳ２４において、PVRは、AVストリームの伝送を開始する。AVストリームの伝送を開始した直後においては、AVストリームの伝送が終了した割合は０％になる。
【００２９】
ステップＳ３４において、NASは、PVRから伝送されてきたAVストリームを受信し、ステップＳ３３において受信したメタデータと合わせて記録する。
【００３０】
PVRによるAVストリームの伝送と、NASによるAVストリームの受信、記録は、AVストリーム全体の伝送が終了するまで続けられる。
【００３１】
AVストリーム全体の伝送が終了したとき、ステップＳ２５において、PVRは、伝送が終了したことをNASに通知する。
【００３２】
ステップＳ３５において、NASは、PVRからの通知を受信し、ステップＳ３６において、コンテンツの受信、記録が完了したことを表すコンプリート信号をPVRに送信する。
【００３３】
ステップＳ２６において、PVRは、NASから送信されてきたコンプリート信号を受信する。１個のコンテンツを伝送する毎に、PVRとNASの間では以上のようなやりとりが行われる。２回コピー可能として設定されているコンテンツに基づいて２個目のコンテンツの伝送が行われる場合、図３に示されるやりとりが再度繰り返される。
【００３４】
以上のようにしてPVRからNASにコンテンツが伝送され、２個のコンテンツとして記録されることにより、ユーザは、２個のコンテンツのうちの一方のコンテンツをNASからさらに光ディスクにコピーさせ、他方のコンテンツをNASからさらに携帯型のプレーヤにコピーさせるといったように、２個のコンテンツをそれぞれNASからコピーすることができる。
【００３５】
しかしながら、当然、このようにしてコンテンツの伝送が行われる場合、ユーザは、ｎ回のコピーが可能というメリットを受けることはできるものの、同じコンテンツがNASにｎ個分記録されることによりNASの記録容量を無駄に消費してしまい、この点で非常に不利になる。
【００３６】
PVR内においてはｎ回のコピーが可能であることを表す属性を管理するようになされていることからコンテンツ１個分の容量を消費するだけで済むのに対し、NAS内においてはそのような管理ができないことから、PVRを製造する者とNASを製造する者との間で不公平感が生じるおそれもある。PVRかNASかということで記録装置を購入する際、消費者の多くは容量を無駄に消費せずに済むPVRを選択するものと考えられる。
【００３７】
本発明はこのような状況に鑑みてなされたものであり、他の記録媒体から伝送されてきたコンテンツを記録するNASなどの記録装置において、同じコンテンツが複数記録されることによって記録媒体の容量が圧迫されるのを防止することができるようにするものである。
【課題を解決するための手段】
【００３８】
本発明の第１の側面の記録装置は、所定の回数だけコピー可能であることを表す属性が設定されているコンテンツの伝送を、同じコンテンツを前記所定の回数と同じ回数だけ繰り返し伝送することによって行う他の記録装置とネットワークを介して接続される記録装置において、前記他の記録装置から伝送されてくる毎にコンテンツを受信する受信手段と、前記受信手段により受信されたコンテンツを記録手段に記録させる記録制御手段と、前記記録手段に記録されたそれぞれのコンテンツに含まれるメタデータに基づいて、同じコンテンツが前記記録手段に複数記録されていると判断した場合、前記記録手段に記録されている同じコンテンツの数を、そのコンテンツのコピー可能回数として管理する管理手段とを備える。前記記録制御手段は、さらに、同じコンテンツが前記記録手段に複数記録されていると前記管理手段により判断された場合、前記記録手段に複数記録されているコンテンツのうち、１つを除いて前記記録手段から消去する。
【００３９】
前記管理手段には、さらに、同じコンテンツである可能性があるものとして選択した候補のコンテンツが、前記他の記録装置から連続して伝送され、前記記録手段に記録されたものである場合に、選択した候補のコンテンツが同じコンテンツであると判断させることができる。
【００４０】
前記管理手段には、さらに、メタデータの伝送時に前記他の記録装置から伝送されてきた情報に基づいて、コンテンツが同一であるか否かを判断させることができる。
【００４１】
本発明の第１の側面の記録方法またはプログラムは、他の記録装置から伝送されてくる毎にコンテンツを受信し、受信したコンテンツを記録手段に記録させ、前記記録手段に記録させたそれぞれのコンテンツに含まれるメタデータに基づいて、同じコンテンツが前記記録手段に複数記録されていると判断した場合、前記記録手段に記録されている同じコンテンツの数を、そのコンテンツのコピー可能回数として管理し、前記記録手段に複数記録されているコンテンツのうち、１つを除いて前記記録手段から消去するステップを含む。
【００４２】
本発明の第２の側面の記録装置は、所定の回数だけコピー可能であることを表す属性が設定されているコンテンツの伝送を、同じコンテンツを構成するメタデータとAVストリームをそれぞれ、その順番で前記所定の回数と同じ回数だけ繰り返し伝送することによって行う他の記録装置とネットワークを介して接続される記録装置において、メタデータとAVストリームを前記他の記録装置から伝送されてくる毎に受信する受信手段と、前記受信手段により受信されたメタデータとAVストリームを記録手段に記録させる記録制御手段と、前記受信手段により受信されたメタデータに基づいて、前記記録手段に記録されているものと同じAVストリームの伝送が開始されると判断した場合、伝送が開始されるAVストリームの記録が完了したことを表す情報を前記他の記録装置に送信してその伝送を終了させ、前記他の記録装置から既に伝送され、前記記録手段に記録されたAVストリームの数と、前記他の記録装置に伝送を終了させたAVストリームの数とを合わせた数を、そのAVストリームを含むコンテンツのコピー可能回数として管理する管理手段とを備える。
【００４３】
本発明の第２の側面の記録方法またはプログラムは、メタデータとAVストリームを他の記録装置から伝送されてくる毎に受信し、受信したメタデータとAVストリームを記録手段に記録させ、受信したメタデータに基づいて、前記記録手段に記録されているものと同じAVストリームの伝送が開始されると判断した場合、伝送が開始されるAVストリームの記録が完了したことを表す情報を前記他の記録装置に送信してその伝送を終了させ、前記他の記録装置から既に伝送され、前記記録手段に記録されたAVストリームの数と、前記他の記録装置に伝送を終了させたAVストリームの数とを合わせた数を、そのAVストリームを含むコンテンツのコピー可能回数として管理するステップを含む。
【００４４】
本発明の第１の側面においては、他の記録装置から伝送されてくる毎にコンテンツが受信され、受信されたコンテンツが記録手段に記録される。前記記録手段に記録されたそれぞれのコンテンツに含まれるメタデータに基づいて、同じコンテンツが前記記録手段に複数記録されていると判断された場合、前記記録手段に記録されている同じコンテンツの数が、そのコンテンツのコピー可能回数として管理され、前記記録手段に複数記録されているコンテンツのうち、１つを除いて前記記録手段から消去される。
【００４５】
本発明の第２の側面においては、メタデータとAVストリームが他の記録装置から伝送されてくる毎に受信され、受信されたメタデータとAVストリームが記録手段に記録される。また、受信されたメタデータに基づいて、前記記録手段に記録されているものと同じAVストリームの伝送が開始されると判断された場合、伝送が開始されるAVストリームの記録が完了したことを表す情報が前記他の記録装置に送信されることによってその伝送が終了され、前記他の記録装置から既に伝送され、前記記録手段に記録されたAVストリームの数と、前記他の記録装置に伝送を終了させたAVストリームの数とを合わせた数が、そのAVストリームを含むコンテンツのコピー可能回数として管理される。
【発明の効果】
【００４６】
本発明の第１の側面によれば、他の記録媒体から伝送されてきたコンテンツを記録する記録装置において、同じコンテンツが複数記録されることによって記録媒体の容量が圧迫されるのを防止することができる。
【００４７】
本発明の第２の側面によれば、コンテンツの伝送にかかる時間を短縮することができる。
【発明を実施するための最良の形態】
【００４８】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００４９】
本発明の第１の側面の記録装置（例えば、図４のNAS２）は、所定の回数だけコピー可能であることを表す属性が設定されているコンテンツの伝送を、同じコンテンツを前記所定の回数と同じ回数だけ繰り返し伝送することによって行う他の記録装置（例えば、図４のPVR１）とネットワークを介して接続される記録装置において、前記他の記録装置から伝送されてくる毎にコンテンツを受信する受信手段（例えば、図４の受信部２１）と、前記受信手段により受信されたコンテンツを記録手段に記録させる記録制御手段（例えば、図４の記録制御部２２）と、前記記録手段に記録されたそれぞれのコンテンツに含まれるメタデータに基づいて、同じコンテンツが前記記録手段に複数記録されていると判断した場合、前記記録手段に記録されている同じコンテンツの数を、そのコンテンツのコピー可能回数として管理する管理手段（例えば、図４のコピー回数管理部２２Ａ）とを備え、前記記録制御手段は、さらに、同じコンテンツが前記記録手段に複数記録されていると前記管理手段により判断された場合、前記記録手段に複数記録されているコンテンツのうち、１つを除いて前記記録手段から消去する。
【００５０】
本発明の第１の側面の記録方法またはプログラムは、他の記録装置から伝送されてくる毎にコンテンツを受信し、受信したコンテンツを記録手段に記録させ、前記記録手段に記録させたそれぞれのコンテンツに含まれるメタデータに基づいて、同じコンテンツが前記記録手段に複数記録されていると判断した場合、前記記録手段に記録されている同じコンテンツの数を、そのコンテンツのコピー可能回数として管理し、前記記録手段に複数記録されているコンテンツのうち、１つを除いて前記記録手段から消去するステップ（例えば、図７のステップＳ５８）を含む。
【００５１】
本発明の第２の側面の記録装置（例えば、図４のNAS２）は、所定の回数だけコピー可能であることを表す属性が設定されているコンテンツの伝送を、同じコンテンツを構成するメタデータとAVストリームをそれぞれ、その順番で前記所定の回数と同じ回数だけ繰り返し伝送することによって行う他の記録装置（例えば、図４のPVR１）とネットワークを介して接続される記録装置において、メタデータとAVストリームを前記他の記録装置から伝送されてくる毎に受信する受信手段（例えば、図４の受信部２１）と、前記受信手段により受信されたメタデータとAVストリームを記録手段に記録させる記録制御手段（例えば、図４の記録制御部２２）と、前記受信手段により受信されたメタデータに基づいて、前記記録手段に記録されているものと同じAVストリームの伝送が開始されると判断した場合、伝送が開始されるAVストリームの記録が完了したことを表す情報を前記他の記録装置に送信してその伝送を終了させ、前記他の記録装置から既に伝送され、前記記録手段に記録されたAVストリームの数と、前記他の記録装置に伝送を終了させたAVストリームの数とを合わせた数を、そのAVストリームを含むコンテンツのコピー可能回数として管理する管理手段（例えば、図４のコピー回数管理部２２Ａ）とを備える。
【００５２】
本発明の第２の側面の記録方法またはプログラムは、メタデータとAVストリームを他の記録装置から伝送されてくる毎に受信し、受信したメタデータとAVストリームを記録手段に記録させ、受信したメタデータに基づいて、前記記録手段に記録されているものと同じAVストリームの伝送が開始されると判断した場合、伝送が開始されるAVストリームの記録が完了したことを表す情報を前記他の記録装置に送信してその伝送を終了させ、前記他の記録装置から既に伝送され、前記記録手段に記録されたAVストリームの数と、前記他の記録装置に伝送を終了させたAVストリームの数とを合わせた数を、そのAVストリームを含むコンテンツのコピー可能回数として管理するステップ（例えば、図９のステップＳ９４）を含む。
【００５３】
以下、本発明の実施の形態について図を参照して説明する。
【００５４】
図４は、本発明の一実施形態に係るコンテンツ伝送システムの構成例を示す図である。
【００５５】
図４のコンテンツ伝送システムは、チューナ内蔵機器であるPVR１とチューナ非内蔵機器であるNAS２が、DLNA(Digital Living Network Alliance)やIEEE(Institute of Electrical and Electronics Engineers)1394などの規格に準拠したネットワーク３を介して接続されることによって構成される。
【００５６】
ソースとなるPVR１からシンクとなるNAS２に対してネットワーク３を介して行われるコンテンツの伝送はDTCPの規格に従って行われる。PVR１により受信されたコンテンツ（コピーワンスコンテンツ）に付加されている、コピー可能回数を表す属性自体はPVR１からNAS２に送信することはできない。
【００５７】
PVR１は、ハードディスク内蔵のSTB(Set Top Box)であり、CS(Communications Satellite)放送やケーブルテレビジョン放送でコンテンツを提供する事業者によって提供されたものである。一方、NAS２は、ハードディスク内蔵の記録装置である。
【００５８】
図４に示されるように、PVR１は、チューナ１１、記録制御部１２、ハードディスク１３、および伝送部１４から構成される。NAS２は、受信部２１、記録制御部２２、およびハードディスク２３から構成される。
【００５９】
PVR１のチューナ１１は、放送波信号を受信、復調し、MPEG-TS(Moving Picture Experts Group-Transport Stream)を取得する。チューナ１１は、記録の対象になっているコンテンツをMPEG-TSから取得し、取得したコンテンツを記録制御部１２に出力する。放送されてきたコンテンツには、あらかじめ設定されたコピー可能回数を表す属性が付加されている。
【００６０】
記録制御部１２は、チューナ１１から供給されたコンテンツをハードディスク１３に記録させる。ハードディスク１３に記録されるコンテンツはメタデータとAVストリームから構成され、メタデータには、コンテンツのタイトル、コンテンツの記録日時、AVストリームのサイズ（データ量）などの情報が含まれる。ハードディスク１３には、複数回のコピーが可能であることを表す属性が付加されているコンテンツであっても、そのコンテンツについては１個のコンテンツ分のデータだけが記録される。
【００６１】
また、記録制御部１２はコピー回数管理部１２Ａを有しており、このコピー回数管理部１２Ａにおいて、ハードディスク１３に記録させたコンテンツのコピー可能回数を管理する。
【００６２】
記録制御部１２は、あるコンテンツをNAS２に伝送することがユーザにより指示されたとき、伝送対象のコンテンツをハードディスク１３から読み出し、読み出したコンテンツを伝送部１４に出力する。このとき、コピー回数管理部１２Ａは、残りのコピー可能回数を１回だけ減らして管理する。
【００６３】
記録制御部１２は、残りのコピー可能回数が０回になるまで、繰り返し、同じコンテンツを伝送部１４に出力する。コピー回数管理部１２Ａにより管理される残りのコピー可能回数が０回になったとき、記録制御部１２は、伝送部１４に繰り返し出力したコンテンツをハードディスク１３から消去する。これにより、ハードディスク１３に記録されたコンテンツ全体の伝送が完了する。
【００６４】
伝送部１４は、DLNAのプロトコル制御、DTCPの暗号化の制御を行い、記録制御部１２からコンテンツが供給されてくる毎に、コンテンツを構成するデータを複数のパケットに格納して、それぞれのパケットをネットワーク３を介してNAS２に伝送する。例えば、伝送部１４は、記録制御部１２から供給されてきたそれぞれのコンテンツを、メタデータ、AVストリームの順に伝送する。
【００６５】
NAS２の受信部２１は、DLNAのプロトコル制御、DTCPの復号の制御を行い、PVR１から伝送されてきたパケットを受信して、受信したパケットに格納されているコンテンツを記録制御部２２に出力する。
【００６６】
記録制御部２２は、受信部２１から供給されたコンテンツをハードディスク２３に記録する。複数回のコピーが可能であることを表す属性が付加されているコンテンツの伝送が指示されていた場合、記録制御部２２には、コピー可能な回数と同じ数だけ、同じコンテンツが繰り返し供給され、それぞれのコンテンツがハードディスク２３に記録される。
【００６７】
また、記録制御部２２はコピー回数管理部２２Ａを有しており、このコピー回数管理部２２Ａにおいて、ハードディスク２３に記録させたコンテンツのコピー可能回数を管理する。
【００６８】
例えば、コピー回数管理部２２Ａは、ハードディスク２３に記録させたそれぞれのコンテンツのメタデータを解析し、メタデータに含まれるコンテンツのタイトル、コンテンツの記録日時、AVストリームのサイズなどに基づいて、同じコンテンツがハードディスク２３に複数記録されていると判断した場合、記録されている同じコンテンツの数を、そのコンテンツのコピー可能回数として管理する。コピー回数管理部２２Ａは、ハードディスク２３に記録されているコンテンツをNAS２に接続された他の記録媒体にコピーすることが指示された場合、管理している回数の範囲でコピーを許可する。
【００６９】
また、コピー回数管理部２２Ａは、ハードディスク２３に同じものが複数記録されているコンテンツのうち、１つのコンテンツを除いて、ハードディスク２３から消去する。
【００７０】
以上のような構成を有するPVR１とNAS２の間で行われるコンテンツの伝送の具体例について図４乃至図６を参照して説明する。
【００７１】
例えば、ｎ回のコピーが可能であることを表す属性が付加されているコンテンツがPVR１により受信されたとき、PVR１のハードディスク１３には、図４に示されるように、受信された１個のコンテンツが記録される。ハードディスク１３に記録されたコンテンツはｎ回のコピーが可能なコンテンツとして管理される。
【００７２】
ハードディスク１３に記録されたコンテンツをNAS２に伝送することが指示されたとき、伝送対象のコンテンツがハードディスク１３から記録制御部１２により読み出され、伝送部１４により、１回目のコンテンツの伝送が行われる。このとき、図５に示されるように、PVR１においては、残りのコピー可能回数がｎ−１回として管理される。
【００７３】
一方、NAS２においては、図５に示されるように、PVR１から伝送されてきたコンテンツがハードディスク２３に記録される。ハードディスク２３に記録されたコンテンツのコピー可能回数は１回とされる。
【００７４】
PVR１において管理される残りのコピー可能回数が０回になるまで、同じコンテンツの伝送が繰り返される。
【００７５】
すなわち、伝送対象のコンテンツがハードディスク１３から記録制御部１２により読み出され、伝送部１４により、２回目のコンテンツの伝送が行われる。２回目のコンテンツの伝送が終了したとき、図６に示されるように、PVR１においては、残りのコピー可能回数がｎ−２回として管理される。
【００７６】
一方、NAS２においては、図６に示されるように、１回目の伝送によって伝送されてきた１個目のコンテンツとは別に、２回目の伝送によって伝送されてきた２個目のコンテンツがハードディスク２３に記録され、一時的に、２個分の記録容量が消費した状態になる。
【００７７】
また、NAS２においては、メタデータの解析が行われ、図６のハードディスク２３に記録されている２個のコンテンツが同じコンテンツであると判断された場合、そのコンテンツのコピー可能回数が、コンテンツの数と同じ回数である２回として管理されるとともに、重複しているデータは削除可能であるとして、１個のコンテンツを除いて、ハードディスク２３からコンテンツが消去される。図６のハードディスク２３において一方のコンテンツに点線の斜線を付していることは、他方のコンテンツと同じコンテンツであることから、そのコンテンツが消去されることを表している。
【００７８】
以上の処理が、PVR１において管理される残りのコピー可能回数が０回になるまで繰り返される。
【００７９】
これにより、PVR１において管理されていた回数と同じ回数がコピー可能回数としてNAS２により管理されるとともに、NAS２のハードディスク２３には、ユーザにより伝送が指示されたコンテンツについて１個分のデータだけが記録され、NAS２においても、PVR１と同様にしてコンテンツを管理することが可能になる。すなわち、同じコンテンツが複数記録されることによって、NAS２のハードディスク２３の容量が圧迫されるのを防止することができる。
【００８０】
また、ユーザは、PVR１からコピーを行う場合と同様に、許可されている回数の範囲でNAS２からコンテンツをコピーすることができ、NAS２を中心としてコンテンツを管理するといった形態においても、ｎ回のコピーが可能とされるコピーワンスコンテンツの運用の恩恵を実質的に受けることができる。
【００８１】
さらに、PVR１においても、NAS２においても、同様にしてコンテンツを管理することが可能になるため、PVRを製造する者とNASを製造する者との間で不公平感が生じることもなくなるものと考えられる。
【００８２】
ここで、PVR１とNAS２の処理についてフローチャートを参照して説明する。
【００８３】
はじめに、図７のフローチャートを参照してPVR１の伝送処理について説明する。図７の処理は、図１を参照して説明した処理と同様の処理である。
【００８４】
記録対象のコンテンツの放送が開始されたとき、ステップＳ５１において、チューナ１１は、コピー可能回数を表す属性が付加されているコンテンツを受信し、受信したコンテンツを記録制御部１２に出力する。
【００８５】
ステップＳ５２において、記録制御部１２は、チューナ１１から供給されたコンテンツをハードディスク１３に記録させる。また、コピー回数管理部１２Ａは、コピー可能回数を表す属性をコンテンツと対応付けて管理する。ここでは、２回だけコピーが可能として属性が設定されている場合について説明する。
【００８６】
ステップＳ５３において、記録制御部１２は、コンテンツをNAS２に伝送することがユーザにより指示されたか否かを判定し、指示されたと判定するまで待機する。
【００８７】
NAS２に伝送することが指示されたとステップＳ５３において判定した場合、記録制御部１２は、ステップＳ５４において、伝送が指示されたコンテンツのメタデータを伝送部１４に出力し、NAS２に伝送させる。
【００８８】
ステップＳ５５において、記録制御部１２は、AVストリームを伝送部１４に出力し、NAS２に伝送させる。これにより、２回のコピーが可能とされているコンテンツに基づいて、１回目のコンテンツの伝送が行われたことになり、コピー回数管理部１２Ａにおいては、残りのコピー可能回数が１回として管理される。
【００８９】
ステップＳ５６において、記録制御部１２は、メタデータを伝送部１４に出力し、NAS２に伝送させる。
【００９０】
ステップＳ５７において、PVR１は、AVストリームを伝送部１４に出力し、NAS２に伝送させる。これにより、２回のコピーが可能とされているコンテンツに基づいて、２回目のコンテンツの伝送が行われたことになり、コピー回数管理部１２Ａにおいては、残りのコピー可能回数が０回として管理される。
【００９１】
ステップＳ５８において、記録制御部１２は、伝送が完了したコンテンツをハードディスク１３から消去し、伝送処理を終了させる。コピー可能回数が０回になったときにコンテンツが消去されることにより、NAS２に伝送したコンテンツの容量の分だけ、ハードディスク１３の空き容量が確保される。
【００９２】
図８のフローチャートを参照して、図７のPVR１の処理に対応して行われるNAS２の記録処理について説明する。
【００９３】
ステップＳ６１において、受信部２１は、PVR１から伝送されてきたメタデータを受信し、記録制御部２２に出力して、ハードディスク２３に記録させる。
【００９４】
ステップＳ６２において、受信部２１は、PVR１から伝送されてきたAVストリームを受信し、記録制御部２２に出力して、ステップＳ６１において受信したメタデータと合わせてハードディスク２３に記録させる。これにより、１回目の伝送によって伝送された１個目のコンテンツがハードディスク２３にコピーされた状態になる。
【００９５】
ステップＳ６３において、受信部２１は、PVR１から伝送されてきたメタデータを受信し、記録制御部２２に出力して、ハードディスク２３に記録させる。
【００９６】
ステップＳ６４において、受信部２１は、PVR１から伝送されてきたAVストリームを受信し、記録制御部２２に出力して、ステップＳ６３において受信したメタデータと合わせてハードディスク２３に記録させる。これにより、２回目の伝送によって伝送された２個目のコンテンツが、１個目のコンテンツとは別に、ハードディスク２３にコピーされた状態になる。
【００９７】
ステップＳ６５において、コピー回数管理部２２Ａは、ハードディスク２３に記録させたそれぞれのコンテンツのメタデータを解析し、メタデータに含まれるコンテンツのタイトル、コンテンツの記録日時、AVストリームのサイズなどに基づいて、同じコンテンツがハードディスク２３に複数記録されているか否かを判定する。このように、同じコンテンツがハードディスク２３に複数記録されているか否かの判定が、１つのコンテンツがハードディスク２３に記録される毎に行われるようにしてもよい。
【００９８】
例えば、タイトル、記録日時、AVストリームのサイズがそれぞれ共通するコンテンツがある場合、ステップＳ６５において、コピー回数管理部２２Ａは、そのメタデータを有するコンテンツが同じコンテンツであると判定し、ステップＳ６６において、ハードディスク２３に記録されている同じコンテンツの数を、そのコンテンツのコピー可能回数として管理する。また、コピー回数管理部２２Ａは、ハードディスク２３に同じものが複数記録されているコンテンツのうち、１つのコンテンツを除いて、ハードディスク２３から消去する。
【００９９】
重複するコンテンツの消去が行われた場合、または、ステップＳ６５において同じコンテンツがハードディスク２３に複数記録されていないと判定された場合、処理は終了される。
【０１００】
以上の処理により、NAS２においても、PVR１と同様にしてコンテンツを管理することができ、同じコンテンツが複数記録されることによってハードディスク２３の容量が圧迫されるのを防止することができる。
【０１０１】
例えば、５GByteのデータ量のコンテンツに５回のコピーが可能であるとして属性が設定されていることから、同じコンテンツの伝送が５回繰り返し行われ、伝送された５個のコンテンツがそれぞれNAS２に記録されるとした場合、その１種類のコンテンツだけで２５GByteもの記録容量を消費してしまうことになるが、以上の方法により、５GByteの記録容量の消費だけで、５回のコピーが可能なコンテンツ、すなわち、５個分のコンテンツの保持が可能となる。
【０１０２】
なお、PVR１からNAS２に対するコンテンツの伝送は、ユーザが伝送を１回指示した後、残りのコピー可能回数が０回になるまでPVR１により自動的に繰り返されるようにしてもよいし、コピー可能回数が０回になるまで、１回１回ユーザが指示することに応じて行われるようにしてもよい。
【０１０３】
ユーザが１回１回指示することに応じて同じコンテンツの伝送が繰り返し行われる場合、NAS２において行われる同じコンテンツがハードディスク２３に複数記録されているか否かの判定（図８のステップＳ６５の判定）において、「同じコンテンツが複数記録されている」と判定する条件として、同じコンテンツである可能性があるとしてコピー回数管理部２２Ａにより選択された候補のコンテンツが、PVR１から連続して伝送され、ハードディスク２３に記録されたものである場合に、その選択された候補のコンテンツが同じコンテンツであると判定されるようにしてもよい。候補のコンテンツは、例えば、メタデータの類似度に基づいて選択される。
【０１０４】
実際のユーザの伝送のやり方として、コピー可能回数が０回になるまで、同じコンテンツを全て（コピーが許可されている回数分だけ）連続してNAS２に送るといった操作が行われる可能性が高いため、このようして「同じコンテンツが複数記録されている」と判定されるようにすることにより、判定結果の精度を上げることが可能になる。このような判定は、後述する、伝送時間を短縮するために行われるコンテンツの同一性を判断する処理にも適用することができ、同様の効果を得ることができる。
【０１０５】
また、AVストリームの伝送が開始される前の、メタデータの伝送時に、「コンテンツの伝送後の処理を規定する情報」がPVR１からNAS２に伝送され、その情報に従ってコンテンツの同一性の判断が行われた後、NAS２においてコンテンツの処理が行われるようにしてもよい。
【０１０６】
例えば、２回目以降のメタデータの伝送時に、メタデータに続けて伝送されるAVストリームが、既に伝送が終了しているコンテンツのAVストリームと同じものであるため、消去することを指示する情報がPVR１からNAS２に伝送されるようにすることにより、NAS２は、その情報を解釈し、正確なコピー可能回数を管理することができ、また、重複するコンテンツをハードディスク２３から確実に消去することができる。
【０１０７】
以上においては、２回目以降の伝送によってPVR１からNAS２に伝送されるコンテンツは、結局、NAS２において消去されるものであるにもかかわらず伝送が実際に行われるものとしたが、メタデータがPVR１から伝送されてきた時点でそのメタデータの解析がNAS２において行われ、解析したメタデータに続けて伝送されてくるAVストリームが、ハードディスク２３に既に記録されているコンテンツのAVストリームと同じものであるか否かが判定されるようにしてもよい。
【０１０８】
例えば、解析したメタデータに続けて伝送されてくるAVストリームが、ハードディスク２３に既に記録されているコンテンツのAVストリームと同じものであると判定された場合、コンテンツの受信、記録が完了したことを表すコンプリート信号がNAS２からPVR１に送信され、AVストリームの伝送がPVR１により行われないようにすることにより、AVストリームの伝送にかかる時間の分だけ、コンテンツ全体の伝送にかかる時間を短縮することができる。
【０１０９】
NAS２においては、１回目の伝送によってPVR１から伝送されてきたコンテンツだけがハードディスク２３に記録され、ハードディスク２３に記録されたコンテンツのコピー可能回数として、ハードディスク２３に記録されているコンテンツの数と、コンプリート信号を送信することによって伝送を終了させたコンテンツ（AVストリーム）の数とを合わせた数が設定され、管理される。
【０１１０】
PVR１とNAS２の間で行われるやりとりについて図９のフローチャートを参照して説明する。ここでは、１回目のコンテンツの伝送が既に行われているものとする。
【０１１１】
２回目以降のコンテンツの伝送を行うとき、ステップＳ８１において、PVR１の記録制御部１２は、コンテンツの伝送先をNAS２内のハードディスク２３とすることをNAS２に指定する。NAS２に対してドライブが接続され、光ディスクなどの他の記録媒体を伝送先とすることが可能とされている場合、記録制御部１２により、適宜、ハードディスク２３以外の記録媒体が伝送先として指定される。
【０１１２】
ステップＳ９１において、NAS２の記録制御部２２は、PVR１からの指定を受信し、伝送を受ける準備が完了したとき、ステップＳ９２において、そのことをPVR１に通知する。
【０１１３】
ステップＳ８２において、PVR１の記録制御部１２は、NAS２からの通知を受信し、ステップＳ８３において、メタデータの伝送を開始する。
【０１１４】
ステップＳ９３において、NAS２の記録制御部２２は、PVR１から伝送されてきたメタデータを受信し、受信したメタデータに含まれるコンテンツのタイトル、コンテンツの記録日時、AVストリームのサイズなどに基づいて、同じコンテンツがハードディスク２３に既に記録されているか否かを判定する。この例においては１回目のコンテンツの伝送が既に行われているから、ここでは、メタデータに続けて伝送される予定のAVストリームと同じAVストリームがハードディスク２３に既に記録されているとして判定される。
【０１１５】
ステップＳ９４において、NAS２は、メタデータに続けて伝送される予定のAVストリームと同じAVストリームがハードディスク２３に既に記録されていることを確認し、NAS２内において管理しているそのコンテンツのコピー可能回数を１回だけ増やして更新する。
【０１１６】
ステップＳ９５において、NAS２の記録制御部２２は、コンテンツの受信、記録が完了したことを表すコンプリート信号をPVR１に送信する。
【０１１７】
ステップＳ８４において、PVR１の記録制御部１２は、NAS２から送信されてきたコンプリート信号を受信し、AVストリームの伝送を行わずに、処理を終了させる。
【０１１８】
上述したように、複数回のコピーが可能であることを表す属性が付加されているコンテンツ全体を伝送するとした場合、同じAVストリームが繰り返し伝送されることになるから、このようにして、AVストリームの伝送がNAS２からのコンプリート信号に応じていわば強制的に終了されるようにすることにより、AVストリームを実際に伝送する場合に較べて、コンテンツ全体の伝送にかかる時間を大幅に短縮することが可能になる。
【０１１９】
また、この場合でも、コンテンツのコピー可能回数は、実際にAVストリームの伝送が行われたコンテンツの数だけでなく、その数と、AVストリームの伝送が終了されたコンテンツの数とを合わせた数として設定されるから、ユーザは、PVR１において管理されていたコピー可能回数と同じ回数だけ、NAS２からコピーを行うこともできる。
【０１２０】
以上においては、複数回のコピーが可能であることを表す属性が付加されているコンテンツが放送コンテンツであるものとしたが、ネットワークを介して配信されるコンテンツに対してこのような属性が付加され、放送コンテンツと同様にしてPVR１、NAS２において管理されるようにしてもよい。
【０１２１】
また、以上においては、NAS２のハードディスク２３に同じコンテンツが複数記録されているか否かの判断が、コンテンツのメタデータに基づいて行われるものとしたが、AVストリームの内容の解析結果などに基づいて行われるようにしてもよい。
【０１２２】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な汎用のパーソナルコンピュータなどにインストールされる。
【０１２３】
インストールされる実行するプログラムは、例えば、磁気ディスク、光ディスク、光磁気ディスク、もしくは半導体メモリなどよりなるパッケージメディアに記録して、あるいは、ローカルエリアネットワーク、インターネット、デジタル衛星放送といった、有線または無線の伝送媒体を介して提供される。
【０１２４】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１２５】
本発明の実施の形態は、上述した実施の形態に限定されるものではなく、本発明の要旨を逸脱しない範囲において種々の変更が可能である。
【図面の簡単な説明】
【０１２６】
【図１】チューナ内蔵機器であるPVRの処理について説明するフローチャートである。
【図２】チューナ非内蔵機器であるNASの処理について説明するフローチャートである。
【図３】PVRとNASの間で行われるやりとりについて説明するフローチャートである。
【図４】本発明の一実施形態に係るコンテンツ伝送システムの構成例を示す図である。
【図５】コンテンツ伝送システムの構成例を示す他の図である。
【図６】コンテンツ伝送システムの構成例を示すさらに他の図である。
【図７】図４のPVRの処理について説明するフローチャートである。
【図８】図４のNASの処理について説明するフローチャートである。
【図９】PVRとNASの間で行われるやりとりについて説明するフローチャートである。
【符号の説明】
【０１２７】
１  PVR，  ２  NAS，  ３  ネットワーク，  １１  チューナ，  １２  記録制御部，  １２Ａ  コピー回数管理部，  １３  ハードディスク，  ２１  受信部，  ２２  記録制御部，  ２２Ａ  コピー回数管理部，  ２３  ハードディスク
【図１】
2008310869.tif 000003
【図２】
2008310869.tif 000004
【図３】
2008310869.tif 000005
【図４】
2008310869.tif 000006
【図５】
2008310869.tif 000007
【図６】
2008310869.tif 000008
【図７】
2008310869.tif 000009
【図８】
2008310869.tif 000010
【図９】
2008310869.tif 000011